(57)【要約】【課題】  誰でも気軽に申し込みを行うことができるように、簡単に封書の作成を行えるようにした巻き折り用申込用紙を提供する。【解決手段】  帯状の申込記入用紙と封筒用紙とが、端部同士で接着され、前記各用紙に折り畳みミシン線が形成された巻き折り用申込用紙であって、前記申込記入用紙は、前記巻き折り方向に対し直角方向に折り畳みミシン線が複数本形成され、前記複数本形成された折り畳みミシン線同士の間隔が、前記申込記入用紙を前記折り畳みミシン線から巻き折り可能な間隔を有し、前記封筒用紙は、前記巻き折り方向に対し直角方向に封書作成用の折り畳みミシン線が形成され、前記封筒用紙の内、前記封書作成用の折り畳みミシン線で区分けされた最端紙片に、前記巻き折りされた際に前記封筒用紙を前記申込記入用紙と接着させるための粘着剤が塗布されている粘着剤塗布部を有し、前記粘着剤塗布部の上側に剥離紙が剥離可能に貼付されている。【選択図】        図１
2009190289.tif 000002
【特許請求の範囲】
【請求項１】
帯状の申込記入用紙と封筒用紙とが、端部同士で接着され、前記各用紙に形成された折り畳みミシン線から折り畳み、巻き折りを行なうことで申込書在中の封書を作成することができる巻き折り用申込用紙であって、
前記申込記入用紙は、前記巻き折り方向に対し直角方向に折り畳みミシン線が複数本形成され、前記複数本形成された折り畳みミシン線同士の間隔が、前記申込記入用紙を前記折り畳みミシン線から巻き折り可能な間隔を有し、前記封筒用紙は、前記巻き折り方向に対し直角方向に封書作成用の折り畳みミシン線が形成され、前記封筒用紙の内、前記封書作成用の折り畳みミシン線で区分けされた最端紙片に、前記巻き折りされた際に前記封筒用紙を前記申込記入用紙と接着させるための粘着剤が塗布されている粘着剤塗布部を有し、前記粘着剤塗布部の上側に剥離紙が剥離可能に貼付されていることを特徴とする巻き折り用申込用紙。
【請求項２】
前記封筒用紙に、前記封書作成用の折り畳みミシン線と平行に開封用の切り取りミシン線が形成されていることを特徴とする巻き折り用申込用紙。
【発明の詳細な説明】
【技術分野】
【０００１】
本発明は、帯状の申込記入用紙と、封筒用紙とが端部同士で接着され、前記各用紙に形成された折り畳みミシン線から折り畳み、巻き折り加工を行なうことで申込書在中の封書を作成することができる巻き折り用申込用紙に関する。
【背景技術】
【０００２】
従来、入会申込書などの申込書を封書化させて郵送する場合には、図９に示すような、申込者側で、不要部分の切り取りを行い、所定部分に糊付けを行なった後に、巻き折りすることで封書にすることができる巻き折り加工用紙３０が知られている。
これらの巻き折り用紙については、既に種々の仕様のものが知られている。（例えば、特許文献１〜４参照）
【０００３】
【特許文献１】特開２００２−５４３２３号公報
【特許文献２】特開２００３−２００６８０号公報
【特許文献３】特開２００３−４３２７１５号公報
【特許文献４】特開２００６−４４０８０号公報
【０００４】
これらの巻き折り加工用紙は、誰でも気軽に申込が行なえるようにするために、誰でもできるだけ簡単に封書作成を行えるようにした仕様とすることが好ましい。
つまり、指定された巻き折り加工用紙を使用して申し込みを行なう際に、その巻き折り加工用紙で封書を作成する方法が面倒であったり、どのように封書を作成したらよいのかわかりにくい場合には、申し込みをしようとする気持ちが失せてしまうこともあり、その結果として、主催者側が期待したように申込者が集まらない原因になるという問題が考えられる。
【発明の開示】
【発明が解決しようとする課題】
【０００５】
そこで、本発明は、誰でも気軽に申し込みを行うことができるように、簡単に封書の作成を行えるようにした巻き折り用申込用紙を提供する。
【課題を解決するための手段】
【０００６】
本発明の巻き折り用申込用紙は、帯状の申込記入用紙と封筒用紙とが、端部同士で接着され、前記各用紙に形成された折り畳みミシン線から折り畳み、巻き折りを行なうことで申込書在中の封書を作成することができる巻き折り用申込用紙であって、前記申込記入用紙は、前記巻き折り方向に対し直角方向に折り畳みミシン線が複数本形成され、前記複数本形成された折り畳みミシン線同士の間隔が、前記申込記入用紙を前記折り畳みミシン線から巻き折り可能な間隔を有し、前記封筒用紙は、前記巻き折り方向に対し直角方向に封書作成用の折り畳みミシン線が形成され、前記封筒用紙の内、前記封書作成用の折り畳みミシン線で区分けされた最端紙片に、前記巻き折りされた際に前記封筒用紙を前記申込記入用紙と接着させるための粘着剤が塗布されている粘着剤塗布部を有し、前記粘着剤塗布部の上側に剥離紙が剥離可能に貼付されていることを特徴とする。
【０００７】
また、本発明の巻き折り用申込用紙は、前記封筒用紙に、前記封書作成用の折り畳みミシン線と平行に開封用の切り取りミシン線が形成されていることを特徴とする。
【発明の効果】
【０００８】
本発明の巻き折り用申込用紙は、申し込みを行なう場合に、剥離紙を剥離させた後に、巻き折りするだけで、誰でも気軽に封書作成をして申込が行なえるという効果がある。
【発明を実施するための最良の形態】
【０００９】
以下、本発明の実施形態に係る巻き折り用申込用紙を、図面に基づいて詳細に説明する。
図１は、本発明の実施形態に係る巻き折り用申込用紙の平面図、図２は、図１のＡ−Ａ線断面図、図３は、図１のＢ−Ｂ線断面図、図４は、本発明の実施形態に係る巻き折り用申込用紙から剥離紙を剥離させた状態を示す平面図が示されている。
実施形態に係る巻き折り用申込用紙１は、帯状の申込記入用紙２と、封筒用紙３とが、それらの端部で重ね合わされ、ライン状に塗布された接着剤４により接着されて一体化されている。
【００１０】
巻き折り用申込用紙１は、帯状の申込記入用紙２と封筒用紙３とが連接されている方向に対して、巻き折りすることで封筒の作成を行えるように構成されている。
そして、申込記入用紙２は、巻き折り方向に対し直角方向に、折り畳みミシン線５ａ，５ｂが複数本形成されている。
その複数本形成された折り畳みミシン線同士の間隔は、申込記入用紙２を折り畳みミシン線５ａ，５ｂから巻き折り可能な間隔を有している。
つまり、申込記入用紙２を折り畳みミシン線５ａ，５ｂから巻き折りした場合に、折り畳みミシン線５ａ，５ｂで区画されている申込記入用紙２の各紙片の横幅寸法が、同一寸法であると、申込記入用紙２を折り畳みミシン線５ａ，５ｂから巻き折りした際に、内側に巻き込まれる紙片が平面状態で収まりきれない場合があり、折り畳みミシン線５ａ，５ｂで区画されている申込記入用紙２の各紙片の横幅寸法を、右方向に行くほど順次に例えば１mm〜２mm程の幅が広い寸法となるように形成されている。
そして、申込記入用紙２は、折り畳みミシン線５ａ，５ｂから順次に巻き折りすることで封書化される。
また、申込記入用紙２の表面や裏面には、図示されていないが、予め申込記入欄や説明事項などが印刷されており、申込者が記入できるようにしてある。
【００１１】
封筒用紙３には、巻き折り方向に対し直角方向に折り畳みミシン線６ａ，６ｂが複数本形成され、更に、開封用ミシン線７も形成されている。
尚、折り畳みミシン線６ｂは、開封用ミシン線も兼ねている。
折り畳みミシン線６ｂと開封用ミシン線７の間の部分には、所定幅を有するテープ８が貼付されており、巻き折り用申込用紙１を巻き折りして作成された封筒を開封させる場合には、テープ８を引っ張ることで、折り畳みミシン線６ｂと開封用ミシン線７の間の部分が切り取られて、開封できるようになっている。
【００１２】
図４に示すように、封筒用紙３の内、開封用ミシン線７から区画される最端紙片である右側の紙片３ａにおいて、その紙片３ａの三方端縁部の表面上には、粘着剤９が塗布されている粘着剤塗布部を有している。
また、紙片３ａの上側には、剥離紙１０が重ねられて、粘着剤９が塗布されている粘着剤塗布部に対して剥離可能な状態で剥離紙１０が貼付されている。
これにより、剥離紙１０を剥離することで、帯状の申込記入用紙２と封筒用紙３とを巻き折りして、粘着剤９により用紙同士を接着させ封書の作成を行なえるようにしてある。
【００１３】
また、図１に示す封筒用紙３の裏面側、つまり封筒用紙３を折り畳みミシン線６ｂから折り畳んだ際に外側から見ることができる用紙面の部分に、予め、宛先情報が印刷されている。
尚、封筒用紙３の内、開封用ミシン線７から区画される左側の紙片３ｂには、折り畳みミシン線６ｂが形成されていることから、宛先情報を印刷する部分は、封筒用紙３の内、開封用ミシン線７から区画される右側の紙片３ａ上に行なうことが好ましい。
【００１４】
次に、巻き折り用申込用紙１の使用方法を、図１、図５乃至図７に基づいて説明する。
図５には、実施形態に係る巻き折り用申込用紙の申込記入用紙を巻き折りさせた状態を示す斜視図、図６には、本発明の実施形態に係る巻き折り用申込用紙を封書化した状態を示す斜視図、図７には、本発明の実施形態に係る巻き折り用申込用紙で作成した封書を開封する時の状態を示す斜視図が示されている。
まず、巻き折り用申込用紙１を使用して申し込みを行う申込者は、図１に示す状態の申込記入用紙２の申込記入欄などに、申し込みに必要な情報の記入を行なう。
【００１５】
申込者は、申し込みに必要な情報の記入を行なった後、図５に示すように、申込記入用紙２の部分を折り畳みミシン線５ａ，５ｂから順次に折り畳んで、封筒用紙３の開封用ミシン線７から区画される左側の紙片３ｂ上にのせる。
そして、紙片３ａの上側に貼付されている剥離紙１０を剥離させて、紙片３に塗布されている粘着剤９で粘着できる状態にする。
尚、図５には、既に剥離紙１０を剥離させた状態が示されている。
【００１６】
次に、申込者は、図６に示すように、封筒用紙３を折り畳みミシン線６ｂから折り畳んで、２つに折り畳んだ封筒用紙３の外側から、粘着剤９が塗布されている部分に圧力を加えて接着させ、密封された状態の封書を作成する。
作成された封書には、その表側に予め宛先が印刷されているので、そのまま郵便ポストに投函して郵送を行なうことができる。
上記のように、本発明の巻き折り用申込用紙１は、封書を作成するために、所定部分の切り取りを行なったり、糊付けを行なうなどの手間をかけないでも、巻き折りして剥離紙を剥離させて、予め塗布されている粘着剤９で接着させて封書の作成を行なえるので、気軽に申し込みを行なえるように構成されている。
【００１７】
また、本発明の巻き折り用申込用紙１を用いて作成された封書の受取人は、図７に示すように、封筒用紙３の折り畳みミシン線６ｂと開封用ミシン線７とが形成されている間の部分を、捲り上げることで、折り畳みミシン線６ｂと開封用ミシン線７とが切り取られ、開封できるようになっている。
そして、開封された封書内に巻き折られている申込記入用紙２をひろげることで、帯状の申込記入用紙２に記載された内容を見ることができるようになっている。
【００１８】
尚、上記の巻き折り用申込用紙１の実施形態では、３つに折り畳む帯状の申込記入用紙２と、２つに折り畳む封筒用紙３とが連接されている場合について説明したが、本発明の巻き折り用申込用紙は、申込記入用紙２及び封筒用紙３の折り畳み回数を自由に設定することができる。
また、申込記入用紙２及び封筒用紙３の長さ寸法についても、自由に定めることができる。
【００１９】
例えば、図８には、他実施形態の巻き折り用申込用紙２０が示されている。
この巻き折り用申込用紙２０では、４つに折り畳む帯状の申込記入用紙２と、４つに折り畳むための封筒用紙３とが連接されている場合が示されている。
申込記入用紙２には、３つの折り畳みミシン線が形成され、また、封筒用紙３にも３つの折り畳みミシン線がそれぞれ形成されている。
申込記入用紙２と封筒用紙３は、これらの折り畳みミシン線から折り畳まれることで巻き折り状態にして、粘着剤９により接着され密封されて封書を作成することができる。
【００２０】
上記のように、本発明の巻き折り用申込用紙では、巻き折りして接着して簡単に申し込み用の封書を作成できるので、申込者が気軽に申し込みを行なえるように構成されている。
【図面の簡単な説明】
【００２１】
【図１】本発明の実施形態に係る巻き折り用申込用紙の平面図である。
【図２】図１のＡ−Ａ線断面図である。
【図３】図１のＢ−Ｂ線断面図である。
【図４】本発明の実施形態に係る巻き折り用申込用紙から剥離紙を剥離させた状態を示す平面図である。
【図５】本発明の実施形態に係る巻き折り用申込用紙の申込記入用紙を巻き折りさせた状態を示す斜視図である。
【図６】本発明の実施形態に係る巻き折り用申込用紙を封書化した状態を示す斜視図である。
【図７】本発明の実施形態に係る巻き折り用申込用紙で作成した封書を開封する時の状態を示す斜視図である。
【図８】本発明の他の実施形態に係る巻き折り用申込用紙を説明する図である。
【図９】従来の巻き折り用申込用紙を説明する図である。
【符号の説明】
【００２２】
１，２０  巻き折り用申込用紙
２  申込記入用紙
３  封筒用紙
３ａ  封筒用紙の右側の紙片
３ｂ  封筒用紙の左側の紙片
４  接着剤
５ａ，５ｂ，６ａ，６ｂ  折り畳みミシン線
７  開封用ミシン線
８  テープ
９  粘着剤
１０  剥離紙
３０  従来の巻き折り加工用紙
【図１】
2009190289.tif 000003
【図２】
2009190289.tif 000004
【図３】
2009190289.tif 000005
【図４】
2009190289.tif 000006
【図５】
2009190289.tif 000007
【図６】
2009190289.tif 000008
【図７】
2009190289.tif 000009
【図８】
2009190289.tif 000010
【図９】
2009190289.tif 000011